(57)【要約】【課題】この発明は、オイルセパレータ空間を広く確保しながら、導入開口部へのオイルが不用意に持ち込まれることを防止できるエンジンのオイルセパレータ装置を提供することを目的とする。【解決手段】空間部４のブローバイガスの導入開口部８６を、下壁プレート８１の端部と、シリンダヘッドカバー１の、カムシャフト９の軸方向の端壁部とで形成しており、空間部４の下方にカムシャフト９を配設し、カムシャフト９の端部側において、カムシャフト９を含む回転駆動系を外部から遮蔽するハウジング７をシリンダヘッド１１の上面に設け、シリンダヘッドカバー１の端壁部に、ハウジング７に対応するシール縁部を形成する一方、ハウジング７に、導入開口部８６の下方に上下方向に間隔をおいて、カムシャフト９の軸方向に延びるバッフル部７１を形成した。【選択図】図５
2008050949.tif 000002
【特許請求の範囲】
【請求項１】
複数の気筒を直列状に配置したエンジンのシリンダヘッドカバーの内部に、カム軸の軸方向に延びるオイルセパレータ空間を形成し、
該オイルセパレータ空間のブローバイガスの導入開口部を、上記オイルセパレータ空間の下壁となるプレート部材の端部と、上記シリンダヘッドカバーの、上記カム軸の軸方向の端壁部とで形成したエンジンのオイルセパレータ装置であって、
上記オイルセパレータ空間の下方に上記カム軸を配設するとともに、
該カム軸の端部側において、該カム軸を含む回転駆動系を外部から遮蔽する遮蔽部材をシリンダヘッドの上面に設け、
上記遮蔽部材に、該シリンダヘッドカバーの端壁部に、上記遮蔽部材に対応するシール縁部を形成する一方、
上記遮蔽部材に、該導入開口部の下方に上下方向に間隔をおいて、上記カム軸の軸方向に延びるバッフル部を形成した
エンジンのオイルセパレータ装置。
【請求項２】
上記カム軸の端部と、それに対面して該カム軸で駆動される補機ユニットの軸の端部とに噛合い係合部を形成し、
上記回転駆動系を、上記カム軸と上記補機ユニットとにより構成するとともに、
上記噛合い係合部に対してオイルを供給するオイル通路をカム軸内に備え、
上記バッフル部は、上記噛合い係合部を覆う
請求項１記載のエンジンのオイルセパレータ装置。
【請求項３】
上記バッフル部がアーチ形状であり、
上記プレート部材に、上記導入開口部に向かう側に下り傾斜する傾斜部を形成するとともに、
上記プレート部材の、上記バッフル部の上方に対応する部分にアーチ形状をなすアーチ部を形成し、
該アーチ部の周囲に上記プレート部材の端部に開放する溝部を形成した
請求項１または２記載のエンジンのオイルセパレータ装置。
【請求項４】
上記プレート部材の傾斜部に、上記アーチ部の溝部に繋がる複数の直線状の溝部を並んで形成した
請求項３記載のエンジンのオイルセパレータ装置。
【請求項５】
上記傾斜部の上記導入開口部側端部に、下方へ折返した形状をなす折返し部を形成した
請求項３または４記載のエンジンのオイルセパレータ装置。
【発明の詳細な説明】
【技術分野】
【０００１】
この発明は、シリンダヘッドカバーの内部にオイルセパレータ空間を形成したエンジンのオイルセパレータ装置に関する。
【背景技術】
【０００２】
従来より、エンジンに搭載されるピストンとシリンダとの間から燃焼時に漏れ出た未燃焼のガス、所謂ブローバイガスを吸気系に戻して再燃焼させることが行われている。その際、ブローバイガスはクランク室内を通るため、そこでミスト状のエンジンオイルが混在することになる。
【０００３】
ここで、エンジンオイルを含んだままブローバイガスを吸気系に戻すと、触媒等の劣化を招く虞があることから、従来よりエンジンには、ブローバイガスからエンジンオイルを分離するためのオイルセパレータ装置が設けられている。
【０００４】
このオイルセパレータ装置のうち、下記特許文献１には、複数の気筒を直列状に配置したシリンダヘッドカバーの内部にオイルセパレータ空間を形成するとともに、ブローバイガスをこのオイルセパレータ空間に導くための導入開口部を、オイルセパレータ空間の下壁となるプレート部材の端部と、上記シリンダヘッドカバーの端壁部とで形成したものが開示されている。
【０００５】
下記特許文献１に開示のオイルセパレータ装置においては、オイルセパレータ空間の端部に導入開口部が配設されるため、オイルセパレータ空間を広く確保することができるという利点がある。
【０００６】
【特許文献１】特開２００３−３０１７１０号公報
【発明の開示】
【発明が解決しようとする課題】
【０００７】
ところで、オイルセパレータ空間の下方には、エンジンの吸気バルブ、排気バルブを作動させるカムシャフトが配設される。そして、カムシャフトの端部側には、カムシャフトの端部と係合して駆動する補機ユニットを取付けるためのハウジング等、カムシャフトを含む回転駆動系を外部から遮蔽する遮蔽部材が設けられる場合がある。ここで、遮蔽部材としては、ハウジングの他、カムシャフト用の軸受キャップも考えられる。
【０００８】
このようなカムシャフトを含む回転駆動系には、回転駆動を円滑にするために潤滑オイルが供給される。この潤滑オイルは、上記ハウジング近傍の、カムシャフトと補機ユニットの軸との係合部や、軸受キャップで遮蔽されるカムシャフトの部位に供給される。
【０００９】
ここで、ブローバイガスの導入開口部を、上述したようにシリンダヘッドカバーの端壁部で形成した場合、上記導入開口部と、上記潤滑オイルが供給される回転駆動系の部位とは互いに近接した位置関係となる。
【００１０】
このように、上記導入開口部が、潤滑オイルが供給される回転駆動系の部位に近接すると、潤滑オイルは上記回転駆動系の回転により遠心力の作用で周囲に飛散するため、オイルセパレータ装置には、ブローバイガスに混在したエンジンオイルの他に、上記潤滑オイルまでもが不用意に持ち込まれる虞がある。
【００１１】
そして、オイルセパレータ装置に不用意にオイルが供給されると、オイルの供給量がオイルセパレータ装置の処理能力を超えてしまう虞があり、結果として、オイルを分離しきれないまま、ブローバイガスが吸気系に戻されてしまうという事態を招いてしまう。
【００１２】
この発明は、オイルセパレータ空間を広く確保しながら、導入開口部へのオイルが不用意に持ち込まれることを防止できるエンジンのオイルセパレータ装置を提供することを目的とする。
【課題を解決するための手段】
【００１３】
この発明のエンジンのオイルセパレータ装置は、複数の気筒を直列状に配置したエンジンのシリンダヘッドカバーの内部に、カム軸の軸方向に延びるオイルセパレータ空間を形成し、該オイルセパレータ空間のブローバイガスの導入開口部を、上記オイルセパレータ空間の下壁となるプレート部材の端部と、上記シリンダヘッドカバーの、上記カム軸の軸方向の端壁部とで形成したエンジンのオイルセパレータ装置であって、上記オイルセパレータ空間の下方に上記カム軸を配設するとともに、該カム軸の端部側において、該カム軸を含む回転駆動系を外部から遮蔽する遮蔽部材をシリンダヘッドの上面に設け、上記シリンダヘッドカバーの端壁部に、上記遮蔽部材に対応するシール縁部を形成する一方、上記遮蔽部材に、該導入開口部の下方に上下方向に間隔をおいて、上記カム軸の軸方向に延びるバッフル部を形成したことを特徴とする。
【００１４】
この構成によれば、上記導入開口部によりオイルセパレータ空間を広く確保しながら、バッフル部により、遮蔽部材側から飛散するオイルが上記導入開口部に持ち込まれることを防止できる。  
また、上記遮蔽部材にバッフル部を形成することで、バッフル部材を別途設けなくとも遮蔽部材を利用して対応することができる。
【００１５】
ここで、カム軸を含む回転駆動系とは、カム軸のみにより構成されるものであってもよいし、カム軸の回転力を利用して駆動する補機ユニットにより構成されるものであってもよい。
【００１６】
また、遮蔽部材とは、カム軸の軸受キャップであってもよいし、上記補機ユニットを取付けるためのハウジングであってもよい。
【００１７】
この発明の一実施態様においては、上記カム軸の端部と、それに対面して該カム軸で駆動される補機ユニットの軸の端部とに噛合い係合部を形成し、上記回転駆動系を、上記カム軸と上記補機ユニットとにより構成するとともに、上記噛合い係合部に対してオイルを供給するオイル通路をカム軸内に備え、上記バッフル部は、上記噛合い係合部を覆うことを特徴とする。
【００１８】
この構成によれば、上記バッフル部が上記噛合い係合部を覆うことにより、カム軸よる補機ユニットの回転駆動形態を満足しながら、不用意にオイルが導入開口部に持ち込まれることを防止できる。
【００１９】
この発明の一実施態様においては、上記バッフル部がアーチ形状であり、上記プレート部材に、上記導入開口部に向かう側に下り傾斜する傾斜部を形成するとともに、上記プレート部材の、上記バッフル部の上方に対応する部分にアーチ形状をなすアーチ部を形成し、該アーチ部の周囲に、上記プレート部材の端部に開放する溝部を形成したことを特徴とする。
【００２０】
この構成によれば、プレート部材の導入開口部からもオイルを滴下排出する上で、上記アーチ部の周囲からオイルを効果的に集合させることができ、シリンダヘッド内動弁室の唐突な圧力上昇に伴う導入開口部からのオイルの戻りを抑制できる。
【００２１】
この発明の一実施態様においては、上記プレート部材の傾斜部に、上記アーチ部の溝部に繋がる複数の直線状の溝部を並んで形成したことを特徴とする。
【００２２】
この構成によれば、上記傾斜部の溝部により、上記アーチ部の溝部に至る前に予めオイルを集合させることができ、上記導入開口部からのオイルの排出性の向上を図ることができる。
【００２３】
この発明の一実施態様においては、上記傾斜部の上記導入開口部側端部に、下方へ折返した形状をなす折返し部を形成したことを特徴とする。
【００２４】
この構成によれば、シリンダヘッド内動弁室の唐突な圧力上昇に伴う導入開口部からのオイルの戻りをより確実に抑制できる。
【発明の効果】
【００２５】
この発明によれば、上記導入開口部によりオイルセパレータ空間を広く確保しながら、上記バッフル部により、遮蔽部材側から飛散するオイルが上記導入開口部に持ち込まれることを防止できる。  
また、上記遮蔽部材にバッフル部を形成することで、バッフル部材を別途設けなくとも遮蔽部材を利用して対応することができる。
【発明を実施するための最良の形態】
【００２６】
以下、図面に基づいて本発明の実施形態を詳述する。  
図１は、この発明の実施形態に係るエンジンのシリンダヘッドカバー１の平面図であり、図２は、図１におけるＡ−Ａ線矢視断面図であり、図３は、図１のシリンダヘッドカバー１の後方側を示す側面図であり、図４は、図１におけるＢ−Ｂ線矢視断面図である。なお、図中において矢印（Ｆ）は車両前方、矢印（Ｒ）は車両後方を示す。
【００２７】
シリンダヘッドカバー１は、不図示のエンジンを覆うための樹脂製のカバー部材であり、中央部には、気筒列方向に沿って複数の孔部２が離間して形成されている。また、シリンダヘッドカバー１には、その片側において、図２に示すような、上方に膨出する膨出部３が形成されており、この膨出部３により、内部には長手方向に延びる空間部４が形成されている。
【００２８】
図１においては、孔部２が気筒数に対応して４箇所形成されており、これら複数の孔部２には、エンジンの燃焼室内に燃料を噴射するためのインジェクタ（不図示）が挿入される。従って、図示のシリンダヘッドカバー１は、直列４気筒エンジン用に成形されたものであり、シリンダヘッドカバー１の長手方向は、エンジンの気筒列方向に対応することになる。なお、図１においては、矢印（Ｆ）、矢印（Ｒ）を用いて方向を示しているが、これは、シリンダヘッドカバー１がエンジンに取付けられた際のエンジン主体における方向を示しており、本明細書中における「前方」、「後方」は、矢印（Ｆ）、矢印（Ｒ）に対応している。
【００２９】
ところで、膨出部３には、図１、図２に示すように、長手方向の略中央に排出口３１が形成されており、空間部４と外部とが連通するように穿設されている。また、膨出部３の側壁の孔部２側には、孔部２の位置に対応して内側に円弧状に凹む凹部３２が形成されている。これは、上記インジェクタを取付ける際、膨出部３の側壁との干渉することを防止するために形成された部位である。
【００３０】
また、膨出部３の後方側端部には、図３に示すように、上方に半円弧状に凹む凹部３３が形成されている。ここで、凹部３３の部位を含め、シリンダヘッドカバー１の縁部には、溝部５が形成されており、溝部５には、図４に示すようにシール部材６が嵌め込まれる。
【００３１】
また、シリンダヘッドカバー１の後端側の端壁部においては、燃料ポンプ等の不図示の補機ユニットを取付けることを可能とし、これを外部から遮蔽するハウジング７が設けられており、シリンダヘッドカバー１の端壁部には、シール部材６によりハウジング７に対応するシール縁部が形成されている。
【００３２】
ところで、シリンダヘッドカバー１には、膨出部３の空間部４を利用して、エンジンに搭載されるピストンとシリンダとの間から燃焼時に漏れ出たブローバイガスに混在するミスト状のオイルを分離して、不図示の吸気系に排出するオイルセパレータ装置８が設けられる。
【００３３】
本実施形態においては、オイルセパレータ装置８（空間部４）の下部が下壁プレート８１で規定されており、通気孔８２ａが穿設された仕切り壁８２、８２、衝突壁３４、３４により３つの部屋８３、８４、８５が規定されている。そのうち、部屋８４には、排出口３１が配設されている。
【００３４】
また、下壁プレート８１には、その途中に下方に突出するドレーン部８１ａが複数形成され、その前後両端位置には、オイルセパレータ装置８にブローバイガスを導入するための導入開口部８６、８７が形成されている。
【００３５】
図４に示す部材９は、不図示の吸気バルブ、排気バルブを作動させるためのカムシャフトであり、カムシャフト９は、吸気バルブまたは排気バルブを動作させるための偏心カム１０、１０、…を、気筒の数に応じて軸方向に複数間隔を空けて備えている。図示のように、カムシャフト９は、オイルセパレータ装置８を設けた空間部４の下方に位置し、空間部４は、カムシャフト９の軸方向に延びるように形成されている。
【００３６】
図５は、オイルセパレータ装置８の後部の導入開口部８６周辺を拡大して示す断面図であり、図５においては、膨出部３に形成された凹部３２の図示を便宜上省略している。ここで、導入開口部８６は、図４、図５に示すように、シリンダヘッドカバー１の、カムシャフト９の軸方向後端側の端壁部と、下壁プレート８１の端部とにより形成されている。
【００３７】
また、本実施形態においては、導入開口部８６の下方に、カムシャフト９の後端部が位置し、該後端部には係合凹部９ａが形成される。また、上記補機ユニットは、カムシャフト９の後端部に対面するように配設され、図５に示す補機ユニットの回転軸１２の端部がカムシャフト９の後端部に係合される。回転軸１２の端部には、カムシャフト９の係合凹部９ａに対応して係合凸部１２ａが形成されており、係合凹部９ａ、係合凸部１２ａの噛合い係合により、カムシャフト９の回転駆動力が回転軸１２側、ひいては補機ユニットへ伝達され、カムシャフト９、補機ユニット（回転軸１２）により回転駆動系が構成されている。なお、係合凹部９ａ、係合凸部１２ａにおける凹凸の関係は、図５に示されているものに限らず逆の関係であってもよい。
【００３８】
また、カムシャフト９内には、図５に示すように、オイル通路９ｂが形成されており、係合凹部９ａ側から係合凹部９ａと係合凸部１２ａとの係合部に向かって潤滑オイルが供給されるようになっている。
【００３９】
ハウジング７には、図４、図５に示すように、導入開口部８６の下方に間隔をおいてカムシャフト９の軸方向に向かって延び、係合凹部９ａ、係合凸部１２ａの形状に合わせてこれを覆うアーチ形状のバッフル部７１が一体的に形成されている。そして、係合凹部９ａと係合凸部１２ａとの係合部、及び補機ユニットは、カムシャフト９の後端部において、ハウジング７、シール部材６により外部から遮蔽されることになる。なお、ハウジング７は、カムシャフト９、吸気バルブ、排気バルブ等を収容するシリンダヘッド１１の上面に設けられる。
【００４０】
ところで、本実施形態において、エンジンのピストンとシリンダ（不図示）との間から燃焼時に漏れ出たブローバイガスは、不図示のクランク室内を通った後、図４に示す導入開口部８６、８７からオイルセパレータ装置８内へ流入し、上流側の部屋８３、８５、下流側の部屋８４を順番に経て排出口３１へ流れる。
【００４１】
ここで、排出口３１は、不図示の吸気系に接続されており、オイルセパレータ装置８内に流入したブローバイガスは、吸気系の負圧の作用により、排出口３１側へ向かう流れが形成される。そして、この比較的に緩やかな流れの過程で、ブローバイガス内に混在するミスト状のオイルは、一部が上流側の部屋８３、８５で自然に沈降して下壁プレート８１上で液化したり、オイルセパレータ装置８内の側壁や天井壁や仕切り壁８２に付着して液化することでブローバイガスから分離される。
【００４２】
また、仕切り壁８２には、中央の下流側の部屋８４にブローバイガスを案内するための通気孔８２ａ（ブローバイガスの流れに対して上流側が大径で、下流側が小径のテーパ状の通気孔）が形成され、通気孔８２ａを通過したブローバイガスは高い流速のまま衝突壁３４に衝突する。ブローバイガスに混在している残りのオイルは、ブローバイガスが衝突壁３４へ衝突することにより、衝突壁３４に確実に付着し、分離されて壁面を流下する。
【００４３】
ここで、衝突壁３４の下端と、下壁プレート８１との間には隙間が形成されており、ブローバイガスは、この隙間を通って下流側の部屋８４に流れ込み、排出口３１から排出される。ブローバイガスが部屋８４内を流れ、排気口３１に排出されるまでには、さらにブローバイガスに混在したオイルは、低い流速に伴う沈降、壁面への付着を経てその殆どが液化、分離されている。
【００４４】
ここで、オイルセパレータ装置８の側壁及び天井部には、図５、図１２に示すように、ブローバイガスの流れ方向と交差するように延びる複数のビード３５〜３８が形成されており、表面積を増やすことで、オイルの付着をより効果的に行えるようになっている。
【００４５】
これにより、部屋８３、８５でのオイルの分離がより効果的に行えるとともに、衝突壁３４でオイルが分離しきれなかったとしても、部屋８４の大きな空間やビード３５により残りのオイルを排出口３１（図４参照）の直前で分離させることができ、オイルセパレータ装置８における分離性能を向上させることができる。
【００４６】
ところで、部屋８３内で液化したオイルは、一部が部屋８３の下方に位置するドレーン部８１ａに集合させられ、図示のようにオイル溜まりを形成して貯留される。ドレーン部８１ａの下端にはスリット状の開口部８１ｂが形成されており、ここからオイルが油滴となって滴下排出されるようになっている。
【００４７】
ドレーン部８１ａは、開口部８１ｂに近づくに従ってその幅が狭まり、排出口が絞られた形状とされており、これにより油滴の過剰な滴下を抑制し、常に適量のオイルが下部に貯留されたオイル溜まりが形成されるようになっている。従って、ドレーン部８１ａ下部のオイル溜まりが蓋の役目を果たし、開口部８１ｂからミスト状のオイルが流入することを防止している。但し、ドレーン部８１ａ内に所定量のオイルが溜まれば、その自重によりオイル溜まりの一部が油滴となって滴下される。なお、ここでは、部屋８３を例に挙げて説明したが、部屋８５に対応するドレーン部８１ａにおいても作用は略同様である。
【００４８】
また、衝突壁３４、部屋８４のビード３５の作用により液化したオイルも、部屋８４の下方に位置するドレーン部８１ａに集合させられ、オイル溜まりとなり、最終的には滴下排出される。
【００４９】
ところで、導入開口部８６は、シリンダヘッドカバー１の端壁部を利用して形成されているが、仮に、下壁プレート８１の途中に導入開口部を形成した場合、排出口３１側と反対側に流れる一部のブローバイガスが空間部４の後端部側にてよどみ、オイルの分離がなされない空間が発生する虞がある。
【００５０】
これに対し、本実施形態では、シリンダヘッドカバー１の後端側において、その後端壁と下壁プレート８１の端部とにより導入開口部８６を形成しているため、空間部４の後端から排出口３１まで略全体的にブローバイガスの流れを発生させることができ、空間部４全体をオイルセパレータ空間として広く確保することができる。
【００５１】
しかしながら、シリンダヘッドカバー１の後端部側には、ハウジング７が取付けられ、導入開口部８６の下方には、係合凹部９ａ、係合凸部１２ａが係合する係合部が位置するため、回転軸１２、カムシャフト９等の回転駆動系の回転により、上記係合部に供給される潤滑オイルは、遠心力の作用でハウジング７側から導入開口部８６に飛散する虞がある。つまり、オイルセパレータ装置８が本来分離すべき、ブローバイガスに混在したオイルに加えて多量のオイルが導入開口部８６に不用意に持ち込まれる虞がある。
【００５２】
そこで、本実施形態では、ハウジング７に、導入開口部８６の下方に上下方向に間隔を置いてバッフル部７１を設け、このバッフル部７１にて導入開口部８６を覆うことにより、上記遠心力によりハウジング７側から飛散したオイルが導入開口部８６に不用意に持ち込まれることを防止している。これにより、オイルがオイルセパレータ装置８で分離されないままブローバイガスが吸気系に戻されることを防止できる。
【００５３】
また、本実施形態においては、補機ユニットを取付けるためのハウジング７にバッフル部７１を形成しているため、バッフル部材を別途設けなくともハウジング７を利用して対応することができる。
【００５４】
また、バッフル部７１が係合凹部９ａ、係合凸部１２ａを覆うことにより、カムシャフト９による補機ユニットの回転駆動形態を満足しながら、不用意にオイルが導入開口部８６に持ち込まれることを防止できる。
【００５５】
ところで、導入開口部８６を形成する下壁プレート８１の後端側は、導入開口部８６に向かう側に下り傾斜する傾斜部８１ｃが形成されており、バッフル部７１の直ぐ上方においては、該バッフル部７１の形状に合わせてアーチ形状をなすアーチ部８１ｄが形成されている。
【００５６】
図６は、導入開口部８６を形成する下壁プレート８１の後端側を示す斜視図であり、図７は、アーチ部８１ｄ周辺を拡大して示す斜視図である。傾斜部８１ｃの上面には、表面が凹凸形状をなすように複数の溝部８１ｅが形成され、沈降、落下により付着したオイルを集合させ、より大きな油滴を形成できるようになっている。
【００５７】
さらに、傾斜部８１ｃ、好ましくは溝部８１ｅの大部分は、アーチ部８１ｄの周囲下部まで形成され、下壁プレート８１端部に開放する第２の溝部８１ｆに繋がっている。これにより、下壁プレート８１上面に付着したオイルや、ビード３５（図４参照）により集合されられたオイルの一部は、傾斜部８１ｃにより下壁プレート８１の後端側に案内される。そして、最終的にアーチ部８１ｄの周囲下部に形成された第２の溝部８１ｆに集合させられて、ドレーン部８１ａ（図４、図５参照）の他、導入開口部８６からも滴下排出できるようになっている。
【００５８】
ここで、例えば、エンジンとしてディーゼルエンジンが採用されている場合、ディーゼルエンジンの特性から、ブローバイガスの量が特定のエンジン回転数域で急増することがあり、クランク室、ひいてはシリンダヘッド１１（図５参照）内の動弁室（不図示）において唐突に圧力変動が生じ、導入開口部８６周辺の気圧が上昇することがある。この時、導入開口部８６からオイルが滴下排出されつつある状態であったとすると、このオイルは、気圧上昇に伴い押し上げられ、再びオイルセパレータ装置８内に戻される虞がある。
【００５９】
本実施形態においては、上述したように、アーチ部８１ｄの周囲に溝部８１ｆを形成しているため、液化して油滴となったオイルをアーチ部８１ｄの周囲から効果的に集合させ、より大きな油滴を形成することができる。従って、上述した唐突な圧力上昇に伴う導入開口部８６からのオイルの戻りを抑制できる。
【００６０】
また、溝部８１ｅを形成していることにより、液化したオイルを溝部８１ｆに至る前に予め集合させることができるため、油滴の自重によって導入開口部８６側への流れを促進させることができ、オイルの排出性の向上を図ることができる。
【００６１】
また、下壁プレート８１の端部においては、図７、図８に示すように、傾斜部８１ｃの導入開口部８６側の端部に、下方へ折返した形状をなす折返し部８１ｇが形成されている。この場合、滴下排出されつつある油滴は、下壁プレート８１上面から離間しているため、上述しような唐突な圧力上昇が発生したとしても、図８に二点鎖線で示すように下壁プレート８１の上面まで及ぶことはなく、導入開口部８６から排出されるオイルの戻りをより確実に抑制できる。
【００６２】
例えば、図９に示す下壁プレート１８１のように、端部を単に直線状に形成した場合、同図に二点鎖線で示すように、圧力上昇によって下壁プレート１８１の上面に油滴が戻る虞がある。
【００６３】
図１０は、オイルセパレータ装置８前端側の導入開口部８７を示す斜視図であり、図１１は、導入開口部８７の部分断面図である。導入開口部８７においては、下壁プレート８１前端の一部が下方に凹み、その側方に開口が形成されている点が導入開口部８６と異なっている。但し、図示のように、導入開口部８７に向かう側に下り傾斜する傾斜部８１ｈが形成され、複数の溝部８１ｉを備えるとともに、その先端には折返し部８１ｊが形成されている点は、導入開口部８６と略同様である。勿論、これら傾斜部８１ｈ、溝部８１ｉ、折返し部８１ｊの作用等についても、導入開口部８６側の傾斜部８１ｃ、溝部８１ｆ、折返し部８１ｇと略同様である。
【００６４】
図１２は、シリンダヘッドカバー１を下側から見た図を示しており、上述したように、シリンダヘッドカバー１には、各部屋８３〜８５（図４参照）の側壁にビード３５を形成しているが、この他、天井部においてもビード３６〜３８を形成することで、オイルの排出性のさらなる向上を図ることは上述した通りである。
【００６５】
図示のように、上流側の部屋８３、８５に対応する天井部には、ビード３６、３８が一部略Ｖ字状、またはハの字状に形成され、流入したブローバイガスに混在するオイルが天井部に付着した時、ブローバイガスの流れの作用により、液化した油滴を各ビード毎で側壁側に案内させるようにし、ミスト状のオイルが部屋８４に至ることを抑制できるようにしている。また、部屋８３、８５において分離しきれなかった残りのオイルが下流側の部屋８４に流入してしまったとしても、部屋８４においては、ビード３７がブローバイガスの流れの方向に対して直交する方向に延びているため、オイルが天井部に衝突し易くなり、これにより排出口３１へのオイル流入を直前で阻止することができる。
【００６６】
ところで、上述した実施形態においては、カムシャフト９を含む回転駆動系をカムシャフト９、補機ユニット（回転軸１２）で構成し、補機ユニットを回転駆動させるための上記係合部を、ハウジング７のバッフル部７１で覆う構造としているが、本発明は必ずしもこれに限定されるものではない。例えば、カムシャフトの端部がさらに後方に延びたものにおいて、カムシャフトを遮蔽する軸受キャップにバッフル部を形成するようにしてもよい。
【００６７】
軸受キャップも、ハウジング７と同様、カムシャフト（回転駆動系）を外部から遮蔽する部材であり、この場合、潤滑オイルは、軸受キャップからカムシャフトのジャーナル面に供給される。従って、軸受キャップが上記導入開口部に近接している場合、カムシャフトの回転駆動により、上述した最初の実施形態と同様、遠心力の作用で上記導入開口部に上記潤滑オイルが飛散する虞がある。
【００６８】
そこで、カムシャフトを外部から遮蔽する軸受キャップにバッフル部を形成することにより、軸受キャップ側から導入開口部にオイルが不用意に持ち込まれることを防止でき、オイルが混在したままブローバイガスが吸気系に排出されること防止できる。
【００６９】
この発明の構成と、上述の実施形態との対応において、
この発明のオイルセパレータ空間は、空間部４に対応し、
以下同様に、
プレート部材は、下壁プレート８１に対応し、
遮蔽部材は、ハウジング７に対応し、
噛合い係合部は、係合凹部９ａ、係合凸部１２ａに対応するも、
この発明は、上述の実施形態の構成のみに限定されるものではなく、多くの実施の形態を得ることができる。
【図面の簡単な説明】
【００７０】
【図１】本発明の実施形態に係るエンジンのシリンダヘッドカバーの平面図。
【図２】図１におけるＡ−Ａ線矢視断面図。
【図３】図１のシリンダヘッドカバーの後方側を示す側面図。
【図４】図１におけるＢ−Ｂ線矢視断面図。
【図５】オイルセパレータ装置の後部の導入開口部周辺を拡大して示す断面図。
【図６】導入開口部を形成する下壁プレートの後端側を示す斜視図。
【図７】下壁プレートの後端側のうち、アーチ部周辺を拡大して示す斜視図。
【図８】折返し部にてオイルが滴下排出される状態を説明するための説明図。
【図９】折返し部を形成されていない下壁プレート端部にてオイルが滴下排出される状態を説明するための説明図。
【図１０】オイルセパレータ装置前端側の導入開口部を示す斜視図。
【図１１】オイルセパレータ装置前端側の導入開口部の部分断面図。
【図１２】シリンダヘッドカバーを下側から見た図。
【符号の説明】
【００７１】
１…シリンダヘッドカバー
４…空間部
６…シール部材
７…ハウジング
８…オイルセパレータ装置
９…カムシャフト
９ａ…係合凹部
１１…シリンダヘッド
１２…回転軸
１２ａ…係合凸部
８６、８７…導入開口部
７１…バッフル部
９ｂ…オイル通路
８１ｃ、８１ｈ…傾斜部
８１ｄ…アーチ部
８１ｅ、８１ｆ、８１ｉ…溝部
８１ｇ、８１ｊ…折返し部
【図１】
2008050949.tif 000003
【図２】
2008050949.tif 000004
【図３】
2008050949.tif 000005
【図４】
2008050949.tif 000006
【図５】
2008050949.tif 000007
【図６】
2008050949.tif 000008
【図７】
2008050949.tif 000009
【図８】
2008050949.tif 000010
【図９】
2008050949.tif 000011
【図１０】
2008050949.tif 000012
【図１１】
2008050949.tif 000013
【図１２】
2008050949.tif 000014